(57)【要約】【課題】携帯通信端末に電波が届かないところでも旅行ガイドや行動支援を可能にする。【解決手段】旅行情報提供サーバ１により、訪問先および日時を含む日程情報の入力を受け付け、訪問先に関連する訪問先情報をデータベース３１から読み出し、日程情報と訪問先情報とを旅行情報として予め携帯通信端末４にダウンロードし、データベース部４１に格納しておく。これにより、利用者は、電波の届かない場所へ移動した場合でも、旅行ガイドや行動支援ツールとして携帯通信端末４を利用可能とする。また、携帯通信端末４において、日程情報と現在日時とを照会することにより現在の訪問先を特定し、この訪問先に関連する訪問先情報を旅行情報から取得して表示する。これにより、利用者が、訪問先においてその地に必要な訪問先情報を容易に知ることを可能とする。【選択図】図１
2005275924.tif 000002
【特許請求の範囲】
【請求項１】
互いに通信可能な旅行情報提供サーバと携帯通信端末とを備えた旅行ガイドシステムであって、
前記旅行情報提供サーバは、
旅行に関する情報を格納した第１データベースと、
訪問先の指定を含む日程情報の入力を受け付ける受付手段と、
指定された訪問先に関連する訪問先情報を第１データベースから読み出し、日程情報と訪問先情報とを含む旅行情報を携帯通信端末へ送信する送信手段と、を有し、
前記携帯通信端末は、
受信した旅行情報を格納する第２データベースと、
第２データベースから訪問先に関連する訪問先情報を読み出して表示する表示手段と、
を有することを特徴とする旅行ガイドシステム。
【請求項２】
前記日程情報は、訪問先の日程を含むものであって、
前記携帯通信端末は、現在日時を取得する現在日時取得手段と、
第２データベースから日程情報を読み出し、日程情報と現在日時とを照会することにより現在の訪問先を特定し、当該訪問先に関連する訪問先情報を第２データベースから取得する取得手段とを備え、
前記表示手段は、取得された訪問先情報を表示することを特徴とする請求項１記載の旅行ガイドシステム。
【請求項３】
前記訪問先情報は、訪問先における緊急連絡先番号を含むものであって、
前記携帯通信端末は、日本国内の緊急連絡先番号の入力を受け付ける手段を有し、
前記取得手段は、特定された訪問先に関連する訪問先情報から前記日本国内の緊急連絡先番号に対応する訪問先での緊急連絡先番号を取得することを特徴とする請求項２記載の旅行ガイドシステム。
【請求項４】
前記訪問先情報は、訪問先における国際通話のための規則情報を含むものであって、
前記携帯通信端末は、日本国内の電話番号の入力を受け付ける手段を有し、
前記取得手段は、特定された訪問先に関連する訪問先情報から訪問先での規則情報を取得し、  
入力を受け付けた電話番号を、取得された規則情報に基づいて訪問地からその日本国内の電話番号へ発信するための国際電話番号に変換することを特徴とする請求項２又は３記載の旅行ガイドシステム。
【請求項５】
前記訪問先情報は、訪問先における宿泊先情報を含むものであって、
前記取得手段は、特定された訪問先に関連する訪問先情報から訪問先での宿泊先情報を取得し、
前記表示手段は、取得された宿泊先情報を表示することを特徴とする請求項２乃至４のいずれかに記載の旅行ガイドシステム。
【請求項６】
前記訪問先情報は、訪問先における駅情報を含むものであって、
前記携帯通信端末は、第２データベースから訪問先の駅情報を取得する手段と、
駅情報が指定されると、その駅周辺についての訪問先リストを前記訪問先情報から検索する手段とを有し、
前記表示手段は、検索で得られた訪問先リストを表示することを特徴とする請求項１乃至５のいずれかに記載の旅行ガイドシステム。
【請求項７】
前記携帯通信端末は、デジタルカメラと、
デジタルカメラにより画像データが撮影されたときの撮影時刻を取得する手段と、
第２データベースから日程情報を読み出し、日程情報と撮影時刻とを照会することにより撮影時の訪問先を特定し、当該訪問先に関連する訪問先名を前記訪問先情報から取得する手段と、
取得された訪問先名を画像データのタイトルとして付加する手段と、
付加された訪問先名を変更可能とする手段と、
を有することを特徴とする請求項１乃至６のいずれかに記載の旅行ガイドシステム。
【請求項８】
前記携帯通信端末は、前記日程情報における訪問先および日程について追加、変更、削除する手段を有することを特徴とする請求項１乃至７のいずれかに記載の旅行ガイドシステム。
【請求項９】
前記携帯通信端末は、訪問先及び／又は日程に関連付けられた情報を第２データベースに格納する手段と、
第２データベースに格納されている日程情報を含む情報を読み出して前記旅行情報提供サーバへ送信する手段とを有し、
前記旅行情報提供サーバは、受信した情報を第１データベースに格納する手段と、
受信した日程情報に基づいて日時別及び／又は訪問地別に関連する情報を受信した情報の中から特定し、特定した情報を第１データベースから読み出し、日時別及び／又は訪問地別に編集して日記情報を作成する作成手段と、
作成された日記情報を指定されたアドレスへ送信する手段と、
を有することを特徴とする請求項１乃至８のいずれかに記載の旅行ガイドシステム。
【請求項１０】
前記受信した情報は、画像データとこれに関連付けられた撮影時刻情報を含むものであって、
前記作成手段は、撮影時刻における訪問先を日程情報から取得し、この訪問先名を前記撮影時刻に関連する画像データにタイトルとして付加することを特徴とする請求項９記載の旅行ガイドシステム。
【請求項１１】
前記旅行情報提供サーバは、前記携帯通信端末を動作させるプログラムを第１データベースに格納したものであって、
前記送信手段は、第１データベースから前記プログラムを読み出して前記携帯通信端末へ送信することを特徴とする請求項１乃至１０のいずれかに記載の旅行ガイドシステム。
【請求項１２】
携帯通信端末と通信可能な旅行情報提供サーバであって、
旅行に関する情報を格納した第１データベースと、
訪問先の指定を含む日程情報の入力を受け付ける受付手段と、
指定された訪問先に関連する訪問先情報を第１データベースから読み出し、日程情報と訪問先情報とを含む旅行情報を携帯通信端末へ送信する送信手段と、
を有することを特徴とする旅行情報提供サーバ。
【請求項１３】
前記携帯通信端末から送信されてきた日程情報を含む旅行情報と訪問先及び／又は日程に関連付けられた情報とを受信して第１データベースに格納する手段と、
受信した日程情報に基づいて日時別及び／又は訪問地別に関連する情報を受信した情報の中から特定し、特定した情報を第１データベースから読み出し、日時別及び／又は訪問地別に編集して日記情報を作成する作成手段と、
作成された日記情報を指定されたアドレスへ送信する手段と、
を有することを特徴とする請求項１２記載の旅行情報提供サーバ。
【請求項１４】
前記受信した情報は、画像データとこれに関連付けられた撮影時刻情報を含むものであって、
前記作成手段は、撮影時刻における訪問先を日程情報から取得し、この訪問先名を前記撮影時刻に関連する画像データにタイトルとして付加することを特徴とする請求項１３記載の旅行情報提供サーバ。
【請求項１５】
訪問先の指定および日程を含む日程情報と訪問先情報とを関連付けて旅行情報としてデータベースに格納した携帯通信端末を動作させる携帯通信端末用プログラムであって、
前記携帯通信端末に対して、現在日時を取得する処理と、
データベースから日程情報を読み出し、日程情報と現在日時とを照会することにより現在の訪問先を特定し、当該訪問先に関連する訪問先情報をデータベースから取得する処理と、
取得された訪問先情報を表示する処理と、
を実行させることを特徴とする携帯通信端末用プログラム。
【請求項１６】
前記訪問先情報は、訪問先における緊急連絡先番号を含むものであって、
前記携帯通信端末に対して、日本国内の緊急連絡先番号の入力を受け付ける処理と、
特定された訪問先情報から前記日本国内の緊急連絡先番号に対応する訪問先での緊急連絡先番号を取得する処理と、
を実行させることを特徴とする請求項１５記載の携帯通信端末用プログラム。
【請求項１７】
前記訪問先情報は、訪問先における国際通話のための規則情報を含むものであって、
前記携帯通信端末に対して、日本国内の電話番号の入力を受け付ける処理と、
特定された訪問先情報から訪問先での規則情報を読み出す処理と、
読み出された規則情報に基づいて、入力を受け付けた電話番号を訪問地からその日本国内の電話番号へ発信するための国際電話番号に変換する処理と、
を実行させることを特徴とする請求項１５又は１６記載の携帯通信端末用プログラム。
【請求項１８】
前記訪問先情報は、訪問先における宿泊先情報を含むものであって、
前記携帯通信端末に対して、特定された訪問先情報から訪問先での宿泊先情報を取得する処理と、
取得された宿泊先情報を表示する処理と、
を実行させることを特徴とする請求項１５乃至１７のいずれかに記載の携帯通信端末用プログラム。
【請求項１９】
前記訪問先情報は、訪問先における駅情報を含むものであって、
前記携帯通信端末に対して、データベースから訪問先の駅情報を取得する処理と、
駅情報が指定されると、その駅周辺についての訪問先リストを前記訪問先情報から検索する処理と、
検索で得られた訪問先リストを表示する処理と、
を実行させることを特徴とする請求項１５乃至１８のいずれかに記載の携帯通信端末用プログラム。
【請求項２０】
前記携帯通信端末はデジタルカメラを備えたものであって、
デジタルカメラにより画像データが撮影されたときの撮影時刻を取得する処理と、
データベースから日程情報を読み出し、日程情報と撮影時刻とを照会することにより撮影時の訪問先を特定し、当該訪問先に関連する訪問先名を前記訪問先情報から取得する処理と、
取得された訪問先名を画像データのタイトルとして付加する処理と、
付加された訪問先名を変更可能とする処理と、
を実行させることを特徴とする請求項１５乃至１９のいずれかに記載の携帯通信端末用プログラム。
【請求項２１】
前記携帯通信端末に対して、前記日程情報における訪問先および日程について追加、変更、削除する処理を実行させることを特徴とする請求項１５乃至２０のいずれかに記載の携帯通信端末用プログラム。
【発明の詳細な説明】
【技術分野】
【０００１】
本発明は、旅行情報提供サーバから携帯通信端末へ旅行情報をダウンロードすることにより、携帯通信端末で旅行ガイドや行動支援を行えるようにした旅行ガイドシステムに関する。
【背景技術】
【０００２】
従来より、観光地にいる利用者が、携帯電話機の無線通信によりインターネットを介してサーバにアクセスし、リアルタイムで観光地の観光案内情報を受信しつつ、これを閲覧できるようにしたシステムが利用されている。
【発明の開示】
【発明が解決しようとする課題】
【０００３】
しかしながら、上記のシステムの場合、観光地が電波の届かない場所の場合には、携帯電話機はインターネットへ接続できなくなるため、利用者が観光案内情報を閲覧することができなくなるという問題がある。
【０００４】
特に、大きな建物の中では必ずしも携帯電話機へ電波が届くわけではなく、また、海外では携帯電話機がインターネットに接続できない環境の方が圧倒的に多い。このため、訪問先では携帯電話機を用いて観光案内情報を得ることができないことが多い。
【０００５】
一方、観光案内情報を得る多くの手段としてガイドブックが利用されている。ガイドブックは、電波の届かない範囲で利用できるものではあるが、一般にガイドブックには利用者が訪問する場所以外の不要な情報が多いため重量があり、利用者にとっては持ち運ぶ際の負担となっている。また、所望の情報がどこに記載されているのかを直ちに探し出せないといった問題もある。
【０００６】
本発明は、上記に鑑みてなされたものであり、その目的とするところは、電波の届かないところでも旅行ガイドや行動支援を可能にし得る旅行ガイドシステム、これに用いる旅行情報提供サーバ、携帯通信端末用プログラムを提供することにある。
【課題を解決するための手段】
【０００７】
第１の本発明に係る旅行ガイドシステムは、互いに通信可能な旅行情報提供サーバと携帯通信端末とを備えた旅行ガイドシステムであって、前記旅行情報提供サーバは、旅行に関する情報を格納した第１データベースと、訪問先の指定を含む日程情報の入力を受け付ける受付手段と、指定された訪問先に関連する訪問先情報を第１データベースから読み出し、日程情報と訪問先情報とを含む旅行情報を携帯通信端末へ送信する送信手段と、を有し、前記携帯通信端末は、受信した旅行情報を格納する第２データベースと、第２データベースから訪問先に関連する訪問先情報を読み出して表示する表示手段と、を有することを特徴とする。
【０００８】
本発明にあっては、旅行情報提供サーバにより、入力された日程情報に関連する訪問先情報をデータベースから読み出し、日程情報と訪問先情報とを旅行情報として予め携帯通信端末のデータベースに格納しておくことで、利用者が電波の届かない場所へ移動した場合でも、旅行ガイドや行動支援ツールとして携帯通信端末を利用できるようにしている。
【０００９】
ここで、「訪問先」には、訪問する国、都市、観光地、ホテル、レストランのうちの少なくとも１つが含まれる。例えば、利用者が、旅行前に訪問先として国や都市は決めてあるが、詳細な訪問先として観光地、ホテル等を決めていない場合には、利用者は、旅行前には訪問先として国や都市だけを指定することで、その国や都市に関連する訪問先情報を携帯通信端末にダウンロードでき、旅行中に詳細な訪問先を指定することができる。
【００１０】
「訪問先に関連する訪問先情報」としては、例えば観光地案内、ホテル案内、レストラン案内、買物・レジャー案内情報、さらには連絡先番号、宿泊先番号、駅情報のうちの少なくとも１つを含む。
【００１１】
上記本発明の旅行ガイドシステムにおいて、前記日程情報は、訪問先の日程を含むものであって、前記携帯通信端末は、現在日時を取得する現在日時取得手段と、第２データベースから日程情報を読み出し、日程情報と現在日時とを照会することにより現在の訪問先を特定し、当該訪問先に関連する訪問先情報を第２データベースから取得する取得手段とを備え、前記表示手段は、取得された訪問先情報を表示することを特徴とする。
【００１２】
本発明にあっては、訪問先および日程を含む日程情報と現在日時とを照会することにより現在の訪問先を特定し、この訪問先に関連する訪問先情報を画面に表示することで、利用者が訪問先においてその地で必要とされる情報を容易に知ることができるようにしている。
【００１３】
ここで、「日程」は、訪問の日付又は時刻のうちの少なくとも一方を含む。また、「現在日時」は、現在の日付又は時刻のうちの少なくとも一方とする。すなわち、表示させようとする訪問先情報を特定するに際して、日程情報と現在の日付とから特定できる場合には、現在の時刻は用いなくてよく、日程情報と現在時刻を用いないと特定できない場合には現在時刻を用いるようにする。
【００１４】
また、日程は、利用者が旅行前に指定することにより日程を含む日程情報を旅行情報提供サーバから携帯通信端末にダウンロードしてもよいし、旅行前に日程を決めていない場合には、旅行中に携帯通信端末を使って日程を指定するようにしてもよい。
【００１５】
上記本発明の旅行ガイドシステムにおいて、前記訪問先情報は、訪問先における緊急連絡先番号を含むものであって、前記携帯通信端末は、日本国内の緊急連絡先番号の入力を受け付ける手段を有し、前記取得手段は、特定された訪問先に関連する訪問先情報から前記日本国内の緊急連絡先番号に対応する訪問先での緊急連絡先番号を取得することを特徴とする。
【００１６】
本発明にあっては、現在の訪問先に関連する訪問先情報から、入力された日本国内の緊急連絡先番号に対応する訪問先での緊急連絡先番号を取得することで、利用者が訪問地においてその地に応じた緊急連絡先番号を容易に知ることができるようにしている。
【００１７】
なお、取得された緊急連絡先番号については表示してもよいし、表示はせずに直ちにその緊急連絡先番号へ電話接続してもよい。あるいは表示の後に利用者の指示で電話接続してもよい。
【００１８】
上記本発明の旅行ガイドシステムにおいて、前記訪問先情報は、訪問先における国際通話のための規則情報を含むものであって、前記携帯通信端末は、日本国内の電話番号の入力を受け付ける手段を有し、前記取得手段は、特定された訪問先に関連する訪問先情報から訪問先での規則情報を取得し、入力を受け付けた電話番号を、取得された規則情報に基づいて訪問地からその日本国内の電話番号へ発信するための国際電話番号に変換することを特徴とする。
【００１９】
本発明にあっては、入力された日本国内の電話番号を、訪問地からその電話番号へ発信するための国際電話番号に変換することで、利用者が国際通話の規則を知らなくとも、容易に所望の日本国内の電話番号へ発信できるようにしている。
【００２０】
上記本発明の旅行ガイドシステムにおいて、前記訪問先情報は、訪問先における宿泊先情報を含むものであって、前記取得手段は、特定された訪問先に関連する訪問先情報から訪問先での宿泊先情報を取得し、前記表示手段は、取得された宿泊先情報を表示することを特徴とする。
【００２１】
本発明にあっては、現在の訪問先における宿泊先情報を取得し、この宿泊先情報を表示することで、利用者が訪問地においてその地で必要とされる宿泊先情報を容易に知ることができるようにしている。
【００２２】
上記本発明の旅行ガイドシステムにおいて、前記訪問先情報は、訪問先における駅情報を含むものであって、前記携帯通信端末は、第２データベースから訪問先の駅情報を取得する手段と、駅情報が指定されると、その駅周辺についての訪問先リストを前記訪問先情報から検索する手段とを有し、前記表示手段は、検索で得られた訪問先リストを表示することを特徴とする。
【００２３】
本発明にあっては、駅情報の指定により、その駅周辺についての訪問先リストを表示することで、利用者が訪問地においてその地で必要とする駅周辺情報を容易に知ることができるようにしている。
【００２４】
訪問先リストは、例えば、観光地案内、ホテル案内、レストラン案内、買物・レジャー案内を項目とするリストとし、利用者が項目を選択することで、その項目についての詳細情報が表示されるようにする。
【００２５】
上記本発明の旅行ガイドシステムにおいて、前記携帯通信端末は、デジタルカメラと、デジタルカメラにより画像データが撮影されたときの撮影時刻を取得する手段と、第２データベースから日程情報を読み出し、日程情報と撮影時刻とを照会することにより撮影時の訪問先を特定し、当該訪問先に関連する訪問先名を前記訪問先情報から取得する手段と、取得された訪問先名を画像データのタイトルとして付加する手段と、付加された訪問先名を変更可能とする手段と、を有することを特徴とする。
【００２６】
本発明にあっては、日程情報と画像データが撮影されたときの撮影時刻とを照会することにより撮影時の訪問先を特定し、この訪問先名を画像データにタイトルとして付加することで、画像データがいつどこで撮影されたものであるのか分かるようにしている。また、付加された訪問先名を変更可能としたことで、利用者が所望のタイトルに容易に変更できるようにしている。訪問先名の変更に際しては、例えば訪問先リストを表示し、利用者がそのリストの中から任意のものを選択できるようにしてもよい。
【００２７】
上記本発明の旅行ガイドシステムにおいて、前記携帯通信端末は、前記日程情報における訪問先および日程について追加、変更、削除する手段を有することを特徴とする。
【００２８】
本発明にあっては、日程情報の訪問先および日程について追加、変更、削除といった編集を可能としたことで、旅行日程が多く複雑であったり、旅行前に旅行日程が不明の場合には、利用者はいつでも登録、変更することができ、また、編集後の日程情報を用いることにより実際の訪問先における訪問先情報を表示することができる。
【００２９】
上記本発明の旅行ガイドシステムにおいて、前記携帯通信端末は、訪問先及び／又は日程に関連付けられた情報を第２データベースに格納する手段と、第２データベースに格納されている日程情報を含む情報を読み出して前記旅行情報提供サーバへ送信する手段とを有し、前記旅行情報提供サーバは、受信した情報を第１データベースに格納する手段と、受信した日程情報に基づいて日時別及び／又は訪問地別に関連する情報を受信した情報の中から特定し、特定した情報を第１データベースから読み出し、日時別及び／又は訪問地別に編集して日記情報を作成する作成手段と、作成された日記情報を指定されたアドレスへ送信する手段と、を有することを特徴とする。
【００３０】
本発明にあっては、携帯通信端末により、日程情報と訪問先及び／又は日程で関連付けられた情報と第２データベースから読み出して旅行情報提供サーバへ送信し、旅行情報提供サーバにより、受信した日程情報に基づいて日時別及び／又は訪問地別に情報を編集して日記情報を作成することで、利用者が旅行情報提供サーバから日記情報をダウンロードした場合に、旅行の記念あるいは旅行記録として利用できるようにしている。
【００３１】
ここで、「訪問先及び／又は日程に関連付けられた情報」としては、例えば、利用者が入力したコメントや、送受信した電子メールなどが該当する。
【００３２】
「指定されたアドレス」は、例えば携帯通信端末やパソコンが日記情報を取得するために旅行情報提供サーバへアクセスしたときに自動的に指定されるアドレスであってもよいし、使用者が旅行情報提供サーバに対して予め指定した携帯通信端末やパソコンのアドレスであってもよい。
【００３３】
上記本発明の旅行ガイドシステムにおいて、前記受信した情報は、画像データとこれに関連付けられた撮影時刻情報を含むものであって、前記作成手段は、撮影時刻における訪問先を日程情報から取得し、この訪問先名を前記撮影時刻に関連する画像データにタイトルとして付加することを特徴とする。
【００３４】
本発明にあっては、携帯通信端末で訪問先名を画像データにタイトルとして付加しなかった場合でも、旅行情報提供サーバにより、撮影時刻における訪問先を日程情報から取得し、この訪問先名を前記撮影時刻に関連する画像データに付加することで、これを日記情報に取り込めるようにしている。
【００３５】
上記本発明の旅行ガイドシステムにおいて、前記旅行情報提供サーバは、前記携帯通信端末を動作させるプログラムを第１データベースに格納したものであって、
前記送信手段は、第１データベースから前記プログラムを読み出して前記携帯通信端末へ送信することを特徴とする。
【００３６】
本発明にあっては、携帯通信端末を動作させるプログラムを旅行情報提供サーバから携帯通信端末へ送信することで、携帯通信端末の利用者が容易にプログラムを入手できるようにしている。
【００３７】
第２の本発明に係る旅行情報提供サーバは、携帯通信端末と通信可能な旅行情報提供サーバであって、旅行に関する情報を格納した第１データベースと、訪問先の指定を含む日程情報の入力を受け付ける受付手段と、指定された訪問先に関連する訪問先情報を第１データベースから読み出し、日程情報と訪問先情報とを含む旅行情報を携帯通信端末へ送信する送信手段と、を有することを特徴とする。
【００３８】
上記本発明の旅行情報提供サーバは、前記携帯通信端末から送信されてきた日程情報を含む旅行情報と訪問先及び／又は日程に関連付けられた情報とを第１データベースに格納する手段と、受信した日程情報に基づいて日時別及び／又は訪問地別に関連する情報を受信した情報の中から特定し、特定した情報を第１データベースから読み出し、日時別及び／又は訪問地別に編集して日記情報を作成する作成手段と、作成された日記情報を指定されたアドレスへ送信する手段と、を有することを特徴とする。
【００３９】
上記本発明の旅行情報提供サーバは、前記受信した情報が、画像データとこれに関連付けられた撮影時刻情報を含むものであって、前記作成手段は、撮影時刻における訪問先を日程情報から取得し、この訪問先名を前記撮影時刻に関連する画像データにタイトルとして付加することを特徴とする。
【００４０】
第３の本発明に係る携帯通信端末用プログラムは、訪問先の指定および日程を含む日程情報と訪問先情報とを関連付けて旅行情報としてデータベースに格納した携帯通信端末を動作させる携帯通信端末用プログラムであって、前記携帯通信端末に対して、現在日時を取得する処理と、データベースから日程情報を読み出し、日程情報と現在日時とを照会することにより現在の訪問先を特定し、当該訪問先に関連する訪問先情報をデータベースから取得する処理と、取得された訪問先情報を表示する処理と、を実行させることを特徴とする。
【００４１】
上記本発明の携帯通信端末用プログラムは、前記訪問先情報が、訪問先における緊急連絡先番号を含むものであって、前記携帯通信端末に対して、日本国内の緊急連絡先番号の入力を受け付ける処理と、特定された訪問先情報から前記日本国内の緊急連絡先番号に対応する訪問先での緊急連絡先番号を取得する処理と、を実行させることを特徴とする。
【００４２】
上記本発明の携帯通信端末用プログラムは、前記訪問先情報が、訪問先における国際通話のための規則情報を含むものであって、前記携帯通信端末に対して、日本国内の電話番号の入力を受け付ける処理と、特定された訪問先情報から訪問先での規則情報を読み出す処理と、読み出された規則情報に基づいて、入力を受け付けた電話番号を訪問地からその日本国内の電話番号へ発信するための国際電話番号に変換する処理と、を実行させることを特徴とする。
【００４３】
上記本発明の携帯通信端末用プログラムは、前記訪問先情報が、訪問先における宿泊先情報を含むものであって、前記携帯通信端末に対して、特定された訪問先情報から訪問先での宿泊先情報を取得する処理と、取得された宿泊先情報を表示する処理と、を実行させることを特徴とする。
【００４４】
上記本発明の携帯通信端末用プログラムは、前記訪問先情報が、訪問先における駅情報を含むものであって、前記携帯通信端末に対して、データベースから訪問先の駅情報を取得する処理と、駅情報が指定されると、その駅周辺についての訪問先リストを前記訪問先情報から検索する処理と、検索で得られた訪問先リストを表示する処理と、を実行させることを特徴とする。
【００４５】
上記本発明の携帯通信端末用プログラムは、前記携帯通信端末がデジタルカメラを備えたものであって、デジタルカメラにより画像データが撮影されたときの撮影時刻を取得する処理と、データベースから日程情報を読み出し、日程情報と撮影時刻とを照会することにより撮影時の訪問先を特定し、当該訪問先に関連する訪問先名を前記訪問先情報から取得する処理と、取得された訪問先名を画像データのタイトルとして付加する処理と、付加された訪問先名を変更可能とする処理と、を実行させることを特徴とする。
【００４６】
上記本発明の携帯通信端末用プログラムは、前記携帯通信端末に対して、前記日程情報における訪問先および日程について追加、変更、削除する処理を実行させることを特徴とする。
【発明の効果】
【００４７】
本発明に係る旅行ガイドシステム、旅行情報提供サーバ、携帯通信端末用プログラムによれば、携帯通信端末へ電波の届かない場所でも、携帯通信端末により旅行ガイドや行動支援を行うことができる。
【発明を実施するための最良の形態】
【００４８】
以下、本発明の一実施の形態における旅行ガイドシステムについて図面を用いて説明する。図１は、本旅行ガイドシステムの構成を示す機能ブロック図である。旅行情報提供サーバ１と携帯通信端末４は、通信網６を介して通信接続が可能となっている。また、旅行情報提供サーバ１には、パソコン５が通信網６を介して接続可能となっている。
【００４９】
旅行情報提供サーバ１は、Ｗｅｂサーバ２とデータベースサーバ３を含む構成である。各サーバはコンピュータによって構成され、各部における処理はプログラムによって実行される。Ｗｅｂサーバ２は、携帯通信端末４とデータベースサーバ３との間で送受信されるデータの加工を行うためのものであり、旅行情報登録部２１、送受信部２２、日記情報作成部２３を備える。データベースサーバ３は、旅行日程、訪問先に関連する訪問先情報、現地語情報、地図情報といった旅行に関する情報および携帯通信端末４を動作させるための携帯通信端末用プログラムを格納したデータベース３１、選択部３２、取得部３３、保存部３４を備える。これらの各部における処理については後述する。
【００５０】
訪問先情報には、訪問先に関連する観光地案内、ホテル案内、レストラン案内、買物・レジャー案内情報、連絡先番号、宿泊先番号、駅情報のうちの少なくとも１つが含まれる。すなわち、訪問先情報には訪問地の滞在で必要な情報が含まれ、これらの情報は都市ＩＤと関連付けてデータベース３１に格納される。また、訪問先情報としては、国の概要、度量の単位、通過の単位、電気の電圧、郵便、電話のかけ方をはじめとする現地での生活に必要な情報を含めるようにしてもよく、この場合、これらの情報は国ＩＤと関連付けてデータベース３１に格納するようにする。また、旅行に関する情報には、旅行ツアー情報が含まれ、ツアーＩＤとツアーの訪問国、都市、訪問先情報が関連付けられてデータベース３１に格納される。
【００５１】
携帯通信端末４は、データベース部４１、選択部４２、取得部４３、保存部４４、データ入力部４５、現在日時取得部４６、表示部４７、制御部４８、情報部４９、現地情報部５０、言語情報部５１、送受信部５２、データ作成部５３、旅行情報操作部５４、変更部５５、追加部５６、削除部５７、カメラ操作部５８、撮影・保存部５９、アラームスケジュール部６０、パケット通信部６１を備えた構成である。これらの各部における処理は携帯通信端末用プログラムによって実行される。制御部４８は、全体的な動作を制御するものであるが、その他の各部における処理については後述する。
【００５２】
携帯通信端末４は、無線により通信網６と通信する機能を備え、各部における処理は携帯通信端末用プログラムによって実行される。携帯通信端末用プログラムの一例として、ここではＪａｖａ（登録商標）プログラムを用いる。携帯通信端末４としては、例えば、Ｊａｖａプログラムが動作する携帯電話、ＰＤＡ、携帯小型パソコンなどが相当する。
【００５３】
携帯通信端末４およびパソコン５は、旅行情報提供サーバ１から旅行情報の提供を受けようとする利用者の所有物であることを想定する。利用者としては、国内外への観光を目的とした旅行者のほか、例えば業務研修、視察見学のためその場所に出向いて行動する人等が含まれる。
【００５４】
利用者は、旅行の計画を立てる際に、携帯通信端末４又はパソコン５を用いて、旅行情報提供サーバ１にアクセスし、訪問先の指定、日時、宿泊場所といった日程情報、顧客ＩＤ、個人メモを入力する。旅行情報提供サーバ１では、旅行情報登録部２１により、入力された訪問先の指定に基づいて関連する訪問先情報をデータベース３１から読み出し、日程情報、訪問先情報、その他入力された情報を関連付けて旅行情報としてデータベース３１に登録する。
【００５５】
図２は、利用者が旅行情報を旅行情報提供サーバ１に登録するときの処理の流れを示すシーケンス図である。利用者から携帯通信端末４又はパソコン５を用いてアクセスがあると、Ｗｅｂサーバ２の旅行情報登録部２１は、メニュー画面を表示する。利用者が「新規登録」を選択すると、旅行情報登録部２１は、登録されている旅行ツアーの一覧をデータベースサーバ３へ要求し、これを取得して携帯通信端末４又はパソコン５の画面（以下、携帯通信端末４やパソコン５がＷｅｂサーバ２にアクセスしたときに表示される画面のことをブラウザ画面という）に表示する。利用者が旅行ツアーを選択すると、旅行情報登録部２１はユーザ登録画面を表示する。利用者が識別用の顧客ＩＤとパスワードを入力すると、旅行情報登録部２１は、これら顧客ＩＤ、パスワード、選択された旅行ツアーに対応するツアーＩＤをデータベース３１に登録するとともに、この旅行ツアーの詳細情報をデータベース３１から読み出して、編集用の画面をブラウザ画面に表示する。
【００５６】
この詳細情報には日程が入っていないので、利用者は詳細情報に日時を入力して日程情報とする。また、この詳細情報には訪問先の指定が含まれており、旅行情報登録部２１は、指定された訪問先に基づいて関連する訪問先情報をデータベース３１から読み出す。
【００５７】
このように、データベース３１にはツアーＩＤと訪問先情報とが関連付けて格納されており、利用者が任意の旅行ツアーを選択するだけで、そのツアーＩＤが特定されて関連する訪問先情報が読み出されるようになっている。そして、旅行情報登録部２１は、顧客ＩＤ、日程情報、訪問先情報を関連付けるとともに、これらの情報がＪａｖａプログラムで動作するようにデータ形式を編集してから旅行情報としてデータベース３１に登録する。
【００５８】
一方、利用者は、旅行ツアーを利用しないときには、国ＩＤ、都市ＩＤにより訪問先を指定するとともに日時を指定した上で日程情報を入力する。旅行情報登録部２１は、指定された訪問先に基づいて関連する訪問先情報をデータベース３１から読み出し、顧客ＩＤ、日程情報、訪問先情報を関連付けるとともに、これらの情報がＪａｖａプログラムで動作するようにデータ形式を編集してから旅行情報としてデータベース３１に登録する。
【００５９】
利用者は、日程情報の入力に際しては、上記のように訪問先および日時を指定するほか、ホテルの部屋番号といった宿泊先情報、個人メモ、アラーム設定などを入力する。これらの情報についても、旅行情報登録部２１によりＪａｖａプログラムで動作するようにデータ形式が編集され、旅行情報としてデータベース３１に登録される。
【００６０】
そして、利用者は、旅行の出発前あるいは旅行中に、携帯通信端末４を用いて旅行情報提供サーバ１にアクセスし、データベース３１から旅行情報およびＪａｖａプログラムを携帯通信端末４にダウンロードする。
【００６１】
図３は、携帯通信端末４が旅行情報およびＪａｖａプログラムをダウンロードするときの処理の流れを示すシーケンス図である。利用者が、携帯通信端末４の画面で「受信」のボタンを押すと、送受信部５２は、データ入力部４５から顧客ＩＤ、パスワードを入力できる入力画面の情報を取得し、入力画面を表示する。利用者が顧客ＩＤとパスワードを入力すると、送受信部５２は、パケット通信部６１を介して旅行情報提供サーバ１に対して旅行情報を要求する。Ｗｅｂサーバ２の送受信部２２は、顧客ＩＤとパスワードを認証したのち、データベース３１から顧客ＩＤに関連付けられている旅行情報、およびＪａｖａプログラムを読み出し、携帯通信端末４へ送信する。携帯通信端末４では、パケット通信部６１により旅行情報およびＪａｖａプログラムを受信し、送受信部５２により旅行情報およびＪａｖａプログラムをデータベース部４１に格納させる。
【００６２】
このように、旅行に必要となる情報を予め携帯通信端末４のデータベース部４１に格納させておくことで、利用者が電波の届かない場所へ移動した場合でも、携帯通信端末４により旅行ガイドや行動支援を可能とする。
【００６３】
ダウンロードされる旅行情報には、前述したように日程情報、訪問先情報などが含まれる。この訪問先情報には、利用者によって編集された訪問国情報、観光情報、連絡先番号、宿泊先情報、駅情報などが含まれる。この編集に際して、利用者は携帯通信端末４又はパソコン５を用いて、旅行情報提供サーバ１に対して自分で旅行プランを立てた訪問先を指定するとともに、必要な旅行支援項目を選択し旅行情報として登録しておくことで、自分の要望に沿った旅行情報を携帯通信端末４にダウンロードすることができる。
【００６４】
また、利用者は、携帯通信端末４又はパソコン５を用いて、旅行情報提供サーバ１に対して、旅行会社が企画したパッケージツアーのツアーＩＤを選択し旅行情報として登録しておくことで、旅行ツアーの旅行情報を携帯通信端末４にダウンロードすることができる。
【００６５】
これにより、利用者は、訪問先の指定を１つ１つ入力する必要がなく、ツアーＩＤを指定するだけで、全ての訪問先の指定が入力されるので、所望の旅行情報を簡単に得ることができる。また、データベースサーバ３では、パッケージツアーの情報が変更されない限り、ツアーＩＤに関連する旅行情報を使用し続けることができる。
【００６６】
パッケージツアーの旅行情報に日程情報が入っていない場合には、利用者は、旅行会社から旅行日程の連絡があり次第、携帯通信端末４又はパソコン５を用いて旅行情報提供サーバ１へアクセスして日程情報を入力する。このようにツアーＩＤおよび日程情報を入力することで、カスタマイズされた旅行情報をダウンロードすることができる。
【００６７】
携帯通信端末４では、表示部４７により、データベース部４１からＪａｖａプログラムを読み出し、Ｊａｖａプログラムの指示に従ってデータベース部４１から旅行情報を読み出して画面に表示する。利用者は、この旅行情報を現地で利用することができる。
【００６８】
図４は、携帯通信端末４で旅行情報を表示するときの処理の流れを示すシーケンス図である。この処理は、利用者は旅行中は忙しくなることが多く、携帯通信端末４での簡易な操作により旅行情報が表示されることが望まれることに鑑みたものである。以下では旅行情報の中から必要な訪問先情報を抽出して表示する処理について説明する。
【００６９】
利用者がＪａｖａプログラムによって表示された画面（以下、Ｊａｖａプログラムが動作することで表示される画面をＪａｖａ画面という）のメニュー一覧で「観光案内」を選択すると、表示部４７は、データベース部４１から日程情報を読み出すとともに、現在日時取得部４６に現在日時を取得させ、日程情報と現在日時とを照会することにより現在の訪問先を特定し、この訪問先に関連する訪問先情報をデータベース部４１に格納されている旅行情報から取得し、観光案内情報としてブラウザ画面に表示する。
【００７０】
このように、携帯通信端末４では訪問先に応じた訪問先情報が表示される。すなわち、表示される訪問先情報は日程情報に基づいて自動的に変更される。これにより、利用者は、携帯通信端末４のメニュー画面から訪問地を選択する操作をせずに、現在の訪問地についての観光案内情報を閲覧することができる。
【００７１】
図５は、携帯通信端末４で現在日時取得部４６により現在時刻を取得するときの処理の流れを示すシーケンス図である。ここでは、携帯通信端末４の時計機能が、国内の現在時刻に設定されている場合を想定する。利用者が携帯通信端末４のＪａｖａ画面のメニューで「時間設定」を選択すると、現在時刻取得部４６は、データ入力部４５から入力画面を取得して表示させる。利用者が現地時刻を入力すると、現在時刻取得部４６は、国内時刻を取得し、国内時刻と現地時刻との差分を示す差分情報をデータベース部４１に格納させるとともに、設定完了の画面を表示させる。そして、現地時刻を取得する際には、差分情報をデータベース部４１から読み出し、国内時刻に差分を加算することで現地での現在時刻を算出してＪａｖａ画面に表示させる。Ｊａｖａプログラムで時刻を扱う処理では、全て現地での現在時刻が用いられる。このように現地での現在時刻を取得することで、利用者としては、旅行中に携帯通信端末の時刻を変更する手間が不要となる。
【００７２】
図６は、携帯通信端末４により現地での連絡先番号を表示させるときの処理の流れを示すシーケンス図である。この処理は、利用者が旅行先でトラブルに巻き込まれたり、気分が悪くなった場合に、自分で１１０番や１１９番へ通報しようとしても訪問先でのこれらに対応する連絡先番号が分からないことが多いため、訪問地での連絡先番号が自動で表示されることが望まれることに鑑みたものである。
【００７３】
利用者が携帯通信端末のＪａｖａ画面のメニューで「連絡先」を選択すると、携帯通信端末４では、情報部４９により「一覧表示」又は「入力表示」を選択させる選択画面をＪａｖａ画面に表示させる。
【００７４】
利用者が「一覧表示」を選択した場合、情報部４９は、データベース部４１に連絡先の一覧表を要求し、これを取得して選択形式でＪａｖａ画面に表示させる。この際、情報部４９は、データベース部４１から日程情報を読み出し、日程情報と現在日時とを照会することにより現在の訪問先を特定し、その訪問先に関連する連絡先の一覧表を取得してＪａｖａ画面に表示させる。利用者が一覧表から連絡先を１つ選択すると、情報部４９は、その連絡先についての連絡先番号をデータベース部４１に格納されている訪問先情報から取得する。この連絡先番号としては、例えば、訪問先における警察への通報、救急車依頼通報、消防車依頼通報等のための緊急連絡先番号が含まれる。
【００７５】
一方、利用者が「入力表示」を選択した場合には、情報部４９は、データ入力部４５に入力画面を要求し、これを取得して、キーワードを入力できる画面をＪａｖａ画面に表示させる。利用者が、取得したい連絡先番号に関するキーワードを入力すると、情報部４９は、データベース部４１から日程情報を読み出し、日程情報と現在日時とを照会することにより現在の訪問先を特定し、その訪問先についてキーワードに関連する連絡先番号を訪問先情報から取得する。例えば、キーワードとしては、１１０番や１１９番といった日本国内の緊急連絡先番号とする。この場合、情報部４９は、キーワードが１１０番ならば訪問先における警察への緊急連絡先番号を取得し、１１９番ならば訪問先における消防署への緊急連絡先番号を取得する。
【００７６】
また、訪問先情報は、訪問地における国番号といった国際通話のための規則情報を含み、Ｊａｖａプログラムは、日本国内の電話番号が入力された場合には、その電話番号を、現在の訪問地における規則情報に基づいて現在の訪問地からその日本国内の電話番号へ発信するための国際電話番号に変換する処理を携帯通信端末に実行させる。これにより、利用者が日本国内の電話番号を入力した場合には、情報部４９は、その電話番号を訪問地からその日本国内の電話番号へ発信するための国際電話番号に変換し、変換後の連絡先番号を取得する。
【００７７】
この後、利用者の指示により、取得された連絡先番号をＪａｖａ画面に表示するか、又は送受信部５２が連絡先番号へ発呼することで電話接続を開始する。あるいはＪａｖａ画面に表示した後に電話接続するようにしてもよい。このように、訪問地においてその地に応じた連絡先番号について表示あるいは電話接続されるので、利用者は容易に連絡先番号を知ることができ、万一の場合に安心である。また、利用者は、海外から日本へ電話をかける際に、国番号や国際通話の番号に関する規則を知らなくても、日本にいるときと同様の感覚で通話することが可能となる。
【００７８】
図７は、携帯通信端末４により宿泊先情報を表示するときの処理の流れを示すシーケンス図である。利用者がＪａｖａ画面のメニューで「宿泊場所」を選択すると、情報部４９は、データベース部４１に格納されている宿泊先情報のメニュー一覧を取得し、選択形式でＪａｖａ画面に表示させる。宿泊先情報の取得に際しては、データベース部４１から日程情報を読み出すとともに、現在日時取得部４６により現地での現在日時を取得し、日程情報と現在日時とを照会することにより現在の訪問先を特定し、この訪問先に関連する宿泊先情報をデータベース部４１に格納されている訪問先情報から取得する。利用者がメニュー一覧から宿泊先を１つ選択すると、情報部４９は、データベース部４１からその宿泊先についての詳細情報を表示形式情報とともに取得し、その表示形式に合わせて詳細情報をＪａｖａ画面に表示させる。
【００７９】
この宿泊先情報は、旅行情報における訪問先情報に含まれる情報であり、旅行情報を携帯通信端末４にダウンロードするときに一緒にダウンロードされる。宿泊先情報には、訪問先における宿泊先の部屋番号、添乗員の部屋番号、その他知り合いの部屋番号を含めてもよい。これにより、携帯通信端末４のＪａｖａ画面には訪問地での宿泊先の部屋番号が表示されるので、利用者はいつでも部屋番号等を容易に確認することができる。
【００８０】
図８は、携帯通信端末４により駅情報を表示するときの処理の流れを示すシーケンス図である。利用者がＪａｖａ画面のメニューで「周辺検索」を選択すると、情報部４９は、データベース部４１に格納されている訪問先情報から駅情報のメニュー一覧を取得し、選択形式でＪａｖａ画面に表示させる。利用者がメニュー一覧から駅名を１つ選択すると、情報部４９は、データベース部４１から詳細情報を表示形式情報とともに取得し、その表示形式に合わせて詳細情報をＪａｖａ画面に表示させる。この詳細情報は、その駅周辺についての訪問先リストとして表示され、この訪問先リストには観光地案内、ホテル案内、レストラン案内、買物・レジャー案内のうちの少なくとも１つが含まれる。
【００８１】
駅情報は駅名を識別するための駅ＩＤを含み、駅ＩＤが指定されることにより、その駅周辺における観光場所、ホテル、食事場所、買物レジャー案内等が訪問先情報から検索され、詳細情報として表示される。なお、駅情報は、旅行情報における訪問先情報に含まれる情報であり、旅行情報を携帯通信端末４にダウンロードするときに一緒にダウンロードされる。
【００８２】
これにより、携帯通信端末４のＪａｖａ画面には訪問地における駅周辺の情報が表示されるので、利用者は周囲についての情報を容易に確認することができる。
【００８３】
また、利用者は、駅名を指定して任意の文字を入力することで、その駅付近の観光場所、ホテル、食事場所、買物レジャー案内を検索することもできる。これにより、利用者は所望の駅についての詳細情報をいつでも得ることができる。また、次の訪問先を検索する際に、駅名をキーにすることで容易に検索することができる。
【００８４】
一方で、利用者は、携帯通信端末を用いずに、最寄り駅付近について実際の地図を見て次の訪問先を検討することもできる。しかしながら、地図に記載されている訪問先の名称から、その訪問先の説明を読むなどの作業を繰り返すことになり煩雑である。また、旅行中に長時間に渡って地図やガイドブックを広げていることは安全面で好ましくないことから、携帯通信端末を利用することが好ましいといえる。
【００８５】
図９は、日程情報を追加、変更、削除するときの詳細な処理の流れを示すシーケンス図である。この処理は、予め登録された日程情報について、訪問先で追加、変更、削除の必要が生じた場合には、これに応じた操作を可能とすることが望まれることに鑑みたものである。
【００８６】
利用者が携帯通信端末４のＪａｖａ画面のメニューで「予定時間」を選択すると、旅行情報操作部５４は、「追加」「変更」「削除」の選択画面をＪａｖａ画面に表示させる。
【００８７】
利用者が「追加」を選択した場合、旅行情報操作部５４は、データ入力部４５へ入力画面を要求し、これを取得してＪａｖａ画面に表示させる。利用者が追加を所望する訪問先、日時といった日程を入力すると、旅行情報操作部５４は、追加された日程情報をデータベース部４１に格納させる。追加された日程についてアラーム機能が使用される場合には、アラームスケジュール部６０にその日程情報を登録する。
【００８８】
利用者が「変更」を選択した場合には、旅行情報操作部５４は、データベース部４１へ登録済みの日程の一覧を要求し、これを取得して、変更する日程を選択するためのメニューをＪａｖａ画面に表示させる。利用者が変更しようとする日程を選択すると、旅行情報操作部５４は、その日程情報をデータベース部４１へ要求し、これを取得する。そして、データ入力部４５から入力画面を取得し、この入力画面を日程情報が変更可能な形式でＪａｖａ画面に表示させる。利用者が日程情報を変更すると、旅行情報操作部５４は、その変更後の日程情報をデータベース部４１に格納させるとともに、変更前の日程情報を削除する。変更された日程についてアラーム機能さ使用される場合には、アラームスケジュール部６０にその日程情報を登録する。
【００８９】
利用者が「削除」を選択した場合には、旅行情報操作部５４は、データベース部４１へ登録済みの日程の一覧を要求し、これを取得して、削除する日程を選択するためのメニューをＪａｖａ画面に表示させる。利用者が削除しようとする日程を選択すると、旅行情報操作部５４は、その日程情報をデータベース部４１へ要求し、これを取得する。そして、取得した日程情報を「削除」ボタンとともにＪａｖａ画面に表示させる。利用者が「削除」ボタンを押すと、旅行情報操作部５４は、その日程情報をデータベース部４１から削除する。削除された日程についてアラーム機能が使用されていた場合には、アラームスケジュール部６０でその日程情報を削除する。
【００９０】
例えば、利用者が、現在いる訪問地名だけを入力し、日時を入力しなかった場合には、その訪問地名が現在時刻と関連付けられて日程情報として登録される。このように、日程情報が編集された後は、編集後の日程情報が使用されるようになる。
【００９１】
図１０は、携帯通信端末４でのカメラ操作における処理の流れを示すシーケンス図である。最近の携帯通信端末はデジタルカメラを備えているものが多い。しかし、旅行中にデジタルカメラ機能を使って撮影した後、旅行後に撮影した場所がどこであるかが分からなくなる場合がある。この処理は、画像データの撮影場所が分かるようにすることが望まれることに鑑みたものである。
【００９２】
利用者がＪａｖａ画面のメニューで「撮影」ボタンを押すと、カメラ操作部５８は、撮影・保存部５９から撮影機能を呼び出し、撮影画面をＪａｖａ画面に表示する。旅行者が撮影を行うと、カメラ操作部５８は、撮影された画像データを撮影・保存部５９に保存するとともに、その画像データを識別するための画像ＩＤを取得する。そして、カメラ操作部５８は、現在日時取得部４６へ現地での現在時刻を要求し、撮影したときの撮影時刻情報を取得する。また、データベース部４１に対して訪問先名（訪問先タイトル）を要求し、これを取得する。訪問先タイトルの取得に際しては、まず、データベース部４１から日程情報を読み出し、日程情報と撮影時刻とを照会することにより撮影時の訪問先を特定し、この訪問先に関連する訪問先名を訪問先情報から取得する。カメラ操作部５８は、この訪問先名を画像データのタイトルとして付加し、画面に表示させる。この訪問先名については、利用者により所望のタイトルに変更可能とする。続いて、カメラ操作部５８は、データ入力部４５から入力画面を取得し、コメントを入力できる入力画面をＪａｖａ画面に表示させる。利用者がコメントを入力すると、カメラ操作部５８は、画像ＩＤ、撮影時刻情報、訪問先タイトル、コメントを関連付けてデータベース部４１に格納させる。このように、画像ＩＤ、撮影時刻情報、訪問先タイトルを関連付けて格納しておくことで、画像データがいつどこで撮影されたものであるのか利用者が容易に分かるようにする。また、入力されたコメントもこれらの情報と関連付けておくことで、撮影の記録として利用できるようにする。
【００９３】
図１１は、携帯通信端末４により都市情報を表示するときの処理の流れを示すシーケンス図である。現地情報部５０は、データベース部４１に格納されている都市情報のメニュー一覧を取得し、これを選択形式でＪａｖａ画面に表示させる。旅行者がメニューから都市を１つ選択すると、現地情報部５０は、データベース部４１から選択された都市に関する詳細な都市情報を表示形式情報とともに取得し、この表示形式に合わせて都市情報をＪａｖａ画面に表示させる。
【００９４】
図１２は、キーワード検索を行うときの処理の流れを示すシーケンス図である。利用者が、Ｊａｖａ画面のメニューで「ワード検索」を選択すると、現地情報部５０は、データベース部４１に格納されている訪問先を選択できるメニュー一覧を取得するとともに、データ入力部４５から入力画面を取得し、訪問先の選択メニューおよびキーワードの入力欄をＪａｖａ画面に表示させる。利用者が情報の取得を望む訪問先を１つ選択するとともに、その情報に関連のあるキーワードを入力すると、現地情報部５０は、入力された訪問先とキーワードに関連する訪問先情報のメニュー一覧をデータベース部４１から取得し、選択形式でＪａｖａ画面に表示させる。利用者が訪問先情報から１つ選択すると、現地情報部５０は、データベース部４１からその詳細情報を表示形式情報とともに取得し、この表示形式に合わせて詳細情報をＪａｖａ画面に表示させる。
【００９５】
このような構成により、利用者は、閲覧したい訪問先情報について、任意の文字を入力することによりデータベース部４１に格納されている旅行情報から該当する文字が含まれる情報を検索することができる。これにより、利用者は所望の訪問先情報を速やかに閲覧することができる。
【００９６】
図１３は、携帯通信端末４により翻訳文を表示するときの処理の流れを示すシーケンス図である。利用者がＪａｖａ画面のメニューで「翻訳」を選択すると、情報部４９の言語情報部５１は、データベース部４１に格納されている旅行情報から日本語による翻訳メニュー一覧を取得し、選択形式でＪａｖａ画面に表示させる。利用者が翻訳メニューから翻訳させたい日本語文を１つ選択すると、言語情報部５１は、データベース部４１に格納されている旅行情報から、その日本語文に対応する現地語文を取得し、日本語文と現地語文の双方を翻訳情報としてＪａｖａ画面に表示させる。
【００９７】
利用者が現地語を話せない場合には、携帯通信端末４で旅行情報をダウンロードするときに、旅行中に最低限必要となる日本語および現地語による生活用語文および翻訳メニューを旅行情報に含めるようにする。このようにダウンロードしておけば、例えば利用者がＪａｖａ画面の翻訳メニューで「トイレはどこですか」という日本語文を選択すると、日本語および現地語でその文が表示される。利用者は、現地の人にこの画面を見せることでコミュニケーションをすることが容易となる。日本語又は現地語は、テキスト形式あるいはグラフィック形式でＪａｖａ画面に表示させる。なお、現地語を表示する際には、現地語の発音を示す文字を併せて表示するようにしてもよい。
【００９８】
ところで、旅行を自己プランとした利用者はもとより、パッケージツアーに参加する利用者でも単独行動をすることがある。この場合、自らお店、レストラン、宿泊先の場所を探し出すことは容易ではない。
【００９９】
そこで、本旅行ガイドシステムでは、訪問先情報に、現地語の地図および日本語の地図を含めるものとし、これらの情報を携帯通信端末４にダウンロードすることで、訪問先においてその地に応じた地図がＪａｖａ画面に表示されるようにする。これにより、例えば、目的地を探す際に現地語の地図を表示し、現地の人に見せることで道を尋ねることができる。また、いかにも観光客として見える地図を広げて目的地を探すよりも、携帯通信端末を用いた方が、観光客を目当てとするスリ等の被害に合い難いという利点もある。また、現地語の地図と日本語の地図とを対比することで、現地語の発音を知ることができる。この際に、現地語の地図上に、現地語に対応する日本語文字を表示させるようにしてもよい。
【０１００】
図１４は、携帯通信端末４でのアラーム機能による処理の流れを示すシーケンス図である。この処理は、利用者はモーニングコール、食事時間、荷物の搬送時間、団体行動の集合時間といった時間を常に気にして行動するため、携帯通信端末４のＪａｖａ画面でこれらの時刻を設定し、予め設定された時間前にアラームを鳴らすことが望ましいことに鑑みたものである。
【０１０１】
利用者がＪａｖａ画面の選択メニューで「アラーム」を選択すると、旅行情報操作部５４は、データベース部４１に格納されている日程情報からアラーム情報の一覧を取得するとともに、データ入力部４５から入力画面を取得し、アラーム情報の一覧を入力・変更が可能な形式でＪａｖａ画面に表示する。
【０１０２】
利用者がアラーム情報の入力あるいは変更をすると、旅行情報操作部５４は、入力あるいは変更された情報をデータベース部４１の日程情報に保存するとともに、アラームスケジュール部１０のメモリに登録する。アラームの入力・変更を日程情報に保存するのは、後に旅行記録として用いるためであり、実際のアラームを鳴らすのはアラームスケジュール部６０で行う。また、旅行情報操作部５４は、入力された時刻に対して、何分前にアラームを鳴らすかの設定入力も受け付け、アラームスケジュール部６０のメモリに登録する。
【０１０３】
例えば、利用者が登録時刻の１０分前にアラームが鳴るように設定するとともに、集合時刻を１０時２０分で登録した場合には、アラームスケジュール部６０は、１０時１０分にアラームを鳴らすように動作する。集合時刻のほか、食事時間、荷物の搬送時間などが設定されている場合には、これらの設定された時刻の１０分前にアラームを鳴らすように動作する。
【０１０４】
図１５は、携帯通信端末４がデータベース部４１に格納されている情報を旅行情報提供サーバ１へアップロードするときの処理の流れを示すシーケンス図である。利用者が旅行終了後に、Ｊａｖａ画面の選択メニューで「送信」を選択すると、送受信部５２は、データベース部４１から、顧客ＩＤ、日程情報、そして日程情報に関連付けられた訪問先情報、画像ＩＤ、画像データ、撮影時刻情報、訪問先タイトル、コメント、送受信した電子メールといった情報をデータベース部４１から取得し、これらの情報をＷｅｂサーバ２へ送信するための送信データを作成する。そして、この送信データをパケット通信部６１を介してＷｅｂサーバ２の送受信部２２に送信する。
【０１０５】
Ｗｅｂサーバ２では、送受信部２２により受信した情報をデータベースサーバ３のデータベース３１が格納可能に変換した後、顧客ＩＤと受信した情報とを関連付けてデータベース３１へ登録するとともに、登録完了の通知を携帯通信端末４へ送信する。
【０１０６】
携帯通信端末４では、この登録完了の通知をパケット通信部６１を介して受信し、送受信部５２によりこの通知をＪａｖａ画面に表示させる。
【０１０７】
Ｗｅｂサーバ２では、日記情報作成部２３により、データベース３１から日程情報を読み出し、この日程情報に基づいて日時別及び／又は訪問地別に関連する情報をデータベース３１に格納された情報の中から特定し、日時別及び／又は訪問地別に画像ＩＤ、画像データ、撮影時刻、訪問先タイトル、コメント、電子メールの内容等を編集することで日記情報を作成する。
【０１０８】
日記情報の作成に際しては、例えば、日程情報の日程に関連付けられている撮影時刻を特定し、撮影時刻に関連付けて格納されている画像ＩＤ、訪問先タイトル、コメントをデータベース３１から読み出し、これらを編集することでその日程における日記情報を作成する。画像ＩＤと訪問先タイトルとが関連付けられていない場合には、日記情報作成部２３は、撮影時刻における訪問先を日程情報から取得し、この訪問先名を撮影時刻に関連する画像データにタイトルとして付加する。
【０１０９】
日記情報には、これらの情報のほか、現地で送受信した電子メールの内容や、アラーム情報等を含めることとしてもよい。この場合は、日程情報における日時に合致するメール送受信の時刻やアラーム設定された時刻を特定し、時刻が関連する他の情報とまとめるようにする。日記情報は、例えば顧客ＩＤごとにフォルダを作成し、各フォルダごとに日時別、訪問先別に日記情報を格納するファイルを作成するともに、各フォルダにファイルへ読み込ませる画像データや電子メールといった情報を格納する。
【０１１０】
利用者は、パソコン５を用いて旅行情報提供サーバ１へアクセスし、日記情報をパソコンにダウンロードする。このダウンロードに際しては、利用者が予め指定したパソコンのメールアドレスに旅行情報提供サーバ１が電子メールに添付する形式で日記情報を送信するようにしてもよい。あるいは、旅行情報提供サーバ１が、作成した日記情報を格納しているデータベースサーバ３のアクセス用のＵＲＬアドレスを利用者が予め指定したパソコンのアドレスに送信し、利用者がパソコンを用いてそのＵＲＬアドレスへアクセスしたときに、そのパソコンについて指定されたアドレスに日記情報がダウンロードされるようにする。これにより、利用者は、日記情報を記念として利用することができ、また、プリンターで日記情報を印刷することで紙媒体の日記を得ることができる。また、携帯通信端末４が旅行情報提供サーバ１にアクセスしたときに、その携帯通信端末４について指定されたアドレスに日記情報がダウンロードされるようにしてもよい。
【０１１１】
デジタルカメラで撮影された画像データは、ファイルサイズが大きいため、携帯通信端末４に装着されたメモリカードに保存されることが多い。この場合には、利用者はメモリカードに格納された画像データと、撮影時刻情報をパソコン５の記憶装置に記憶させる。パソコン５は、旅行情報提供サーバ１から、画像データが含まれていない日記情報をダウンロードし、日記情報における日時に関連する撮影時刻に撮影された画像データを特定して記憶装置から読み出し、この画像データを撮影時刻に関連する日記情報に組み込むことで最終的な日記情報を完成させる。画像データは、日記形式で編集されたファイルに組み込まれるようにする。
【０１１２】
続いて、本実施の形態の旅行ガイドシステムの動作について図１６乃至図２５に示す画面遷移図を用いてより詳細に説明する。ここでは、一例として、海外旅行を想定した画面の遷移について説明する。なお、これらの図において番号ｎ（ｎは整数）の画面については画面ｎと呼ぶものとする。
【０１１３】
図１６、図１７は、利用者がＷｅｂサーバ２にアクセスし、企画型の旅行情報を作成してダウンロードするまでの画面遷移を示す図である。これらの図における画面は、Ｗｅｂサーバ２との通信中における携帯通信端末４あるいはパソコン５に表示される画面である。
【０１１４】
画面１は、利用者がＷｅｂサーバ２にアクセスするための初期画面である。初めてアクセスした利用者は「新規登録」を選択して旅行情報の登録処理を開始する。登録後に旅行情報を変更する場合もこの画面を使用する。
【０１１５】
画面２は、旅行が旅行会社が企画したパッケージツアー型か利用者が自らプランを立てる企画型を選択する画面である。ここでは「個人での企画型」を選択するものとする。これにより、次画面からは訪問国、予定訪問先を入力することになる。パッケージツアー型でも現地でのフリープランの場合には企画型に準じることになる。
【０１１６】
画面３は、顧客ＩＤおよびパスワードを入力する画面である。利用者は、顧客ＩＤとパスワードのほか、日記情報をパソコンにダウンロードするときのパソコンのメールアドレスについても入力する。
【０１１７】
画面４は、顧客ＩＤを確認する画面である。
【０１１８】
画面５，６は、画面２で「個人での企画型」が選択されたときの訪問国を選択するためのメニュー一覧を示す画面である。利用者は、この画面で所望の訪問国を選択する。
【０１１９】
画面７は、訪問国に滞在する日程を選択するための画面である。また、出発日を選択することもできる。例えば、１日目から３日目まで訪問先が同一の国であれば１日目，２日目，３日目の項目にチェックを入れ、出発日を入力する。
【０１２０】
画面８は、訪問国への到着日時および他国へ出発日時を入力するための画面である。
【０１２１】
画面９は、訪問国を確認するための画面である。ここでは、１日目から２日目にはチェコに滞在し、３日目にチェコからオーストリアへ移動し、４日目から７日目にはオーストリアへ滞在する予定を示す。
【０１２２】
画面１０は、訪問国の確認後に、その訪問国における都市名を選択するための選択メニューを示す画面である。利用者は、このメニューを用いてその国で訪問する都市名を選択する。同図では、データベースサーバ３のデータベース３１にはウィーンとザルッブルグのデータがあり、これらが表示されている状態を示す。また、その都市の観光地情報の全てをダウンロードしたい場合には「全ての情報を取得する」を選択する。
【０１２３】
例えば、現地へ行ってから訪問先を決める場合には訪問先が未定のため「全ての情報を選択する」を選択する。これにより、全ての都市についての情報が携帯通信端末にダウンロードされることになり、旅行先において訪問先を入力したときに、その訪問先に関連する訪問先情報を表示することができる。
【０１２４】
画面１１は、指定された日における訪問先の選択および訪問予定時刻を入力するための画面である。
【０１２５】
画面１２は、２番目にいく訪問先の選択および訪問予定時刻を入力するための画面である。他の訪問先の選択および訪問予定時刻を入力する画面についても同様である。
【０１２６】
画面１３は、訪問先と訪問予定時刻を確認するための画面である。
【０１２７】
画面１４は、宿泊先場所を日別に選択するための画面である。利用者は、宿泊先名の頭文字を入力することによりデータベース３１に格納されている宿泊先場所を選定する。
【０１２８】
画面１５は、宿泊先場所を確認するための画面である。その際、データベース３１に宿泊先場所の写真、地図が格納されているか否かを利用者が確認できるように表示される。
【０１２９】
画面１６は、選択した都市を訪問する時に必要となるダウンロードしたい情報を選択するためのメニュー一覧を示す画面である。「全データを取得」を選択することにより、全データが選択される。
【０１３０】
画面１７は、データベース３１への入力情報の登録が終了したことを示すとともに、その条件に合致した旅行情報を作成して保存することの確認を示す画面である。
【０１３１】
画面１８は、旅行情報が作成されたことの確認を示す画面である。
【０１３２】
図１８は、利用者がＷｅｂサーバ２にアクセスし、パッケージツアー型の旅行情報を作成してダウンロードするまでの画面遷移を示す図である。同図における各画面は、Ｗｅｂサーバ２との通信中における携帯通信端末４あるいはパソコン５に表示される画面である。
【０１３３】
画面２０は、画面２と同一のものである。ここでは、「旅行会社主催のツアーパック型」を選択するものとする。
【０１３４】
画面２１は、旅行会社を選択するためのメニュー一覧を示す画面である。利用者は、旅行会社を１つ選択する。
【０１３５】
画面２２は、選択された旅行会社におけるツアーＩＤ（ツアーコード）を選択するための画面である。この画面によりツアーＩＤが入力されると訪問先等が確定され、データベース３１に格納されている訪問先情報のうち、ツアーＩＤに関連付けられた訪問先情報が読み出される。
【０１３６】
画面２３は、ツアー名を確認するための画面である。利用者は、この画面によりツアーに関する情報がデータベース３１に格納されていることを確認する。また出発日の入力も行う。
【０１３７】
画面２４は、顧客ＩＤ、パスワードといったユーザ登録情報を登録するための画面である。
【０１３８】
画面２５は、ユーザ登録情報を確認するための画面である。
【０１３９】
画面２６は、滞在場所を確認するための画面である。
【０１４０】
画面２７は、ダウンロードを望む旅行に関する情報を選択するためのメニュー一覧を示す画面である。
【０１４１】
画面２８は、訪問先情報、日程情報、他の入力された情報のデータベース３１への登録が終了したことを示すとともに、その条件に合致した旅行情報を作成して保存することの確認を示す画面である。
【０１４２】
画面２９は、旅行情報が作成されたことの確認を示す画面である。
【０１４３】
図１９は、携帯通信端末４が旅行情報およびＪａｖａプログラムをダウンロードするときの携帯通信端末４における遷移画面を示す図である。以降の図において、Ｊａｖａプログラムによって動作するときの携帯通信端末４における画面の番号はＪ○○（○○は任意の数字）で示してある。このような画面については画面Ｊ○○と呼ぶものとする。
【０１４４】
画面Ｊ４０は、画面１と同一の画面である。利用者は「Ｊａｖａのダウンロード」を選択する。
【０１４５】
画面Ｊ４１は、顧客ＩＤ、パスワードを入力してＷｅｂサーバ２へログインするための画面である。
【０１４６】
画面Ｊ４２は、顧客ＩＤに関連付けられている旅行情報を表示する画面である。この画面では観光情報と画像情報を２つに分けてダウンロードする形式を表示している。
【０１４７】
画面Ｊ０は、観光情報をダウンロードしたときの画面である。Ｊａｖａアプリは常に起動していることが望ましいので、この画面ではＪａｖａの待ち受け画面を登録できるようになっている。
【０１４８】
画面Ｊ０１は、Ｊａｖａ初期画面であり、通常はこの画面が携帯通信端末の待受け画面として使用される。この画面では、「観光案内(現在)」「観光案内メニュー」「カメラ起動」を選択できるようになっている。同画面では、現地時刻も表示される。また、現地時刻の変更もこの画面で行う。同画面を待受け画面にすることにより電源を切らない限り常にＪａｖａプログラムを動作状態にすることができるため、旅行情報を閲覧する際にＪａｖａプログラムをその都度起動させる必要がない。
【０１４９】
図２０乃至図２３は、Ｊａｖａプログラムを実行させたときの携帯通信端末４における遷移画面を示す図である。
【０１５０】
図２０において、画面Ｊ０２は、画面Ｊ０１において「カメラ起動」が選択されたときの画面である。この画面は、カメラ機能を起動して携帯通信端末４のデジタルカメラで撮影を行うための画面である。この画面でデジタルカメラを起動することにより、デジタルカメラで撮影された画像データと撮影時刻、訪問地名とが関連付けて記録され、写真を編集する際に写真のタイトルとして訪問地名を自動的に表示させることができる。訪問地名の特定に際しては、日程情報と撮影時刻とを照会することにより、撮影時刻に関連した訪問地名を特定する。
【０１５１】
画面Ｊ０３は、画面Ｊ０１で「観光案内(現在)」が選択されたときの画面である。この画面では、日程情報と現在日時とを照会することにより現在の訪問先における観光案内情報が表示される。この画面は時間が経過すると自動的に次の訪問先の観光案内情報に変更される。
【０１５２】
画面Ｊ０４は、画面Ｊ０１で「観光案内メニュー」が選択されたときの画面である。この画面では、ダウンロードした都市情報である、連絡先、交通機関情報、観光案内情報、ホテル、レストラン案内情報、買物・レジャー案内、ワード検索、国情報を閲覧するためのメニュー一覧が表示される。
【０１５３】
画面Ｊ２１は、画面Ｊ０２で「カメラを起動する」が選択されたときの画面である。撮影された画像と撮影時刻における訪問先名を確認するための画面が表示される。ここでは、日程情報を照会したときの撮影時刻に関連する訪問先がシェーンブルン宮殿であるため、訪問地名としてデフォルトでシェーンブルン宮殿のタイトルが付けられた状態を示す。利用者が「保存」を選択すると画像のタイトルがシェーンブルン宮殿となる。必要であれば、サブタイトルやコメントを入力することができる。ここで決定された訪問地名、サブタイトル、コメントは、画像ＩＤと関連付けて保存される。
【０１５４】
画面Ｊ２２は、画面Ｊ２１でタイトルが選択されたときの画面である。画像データに関連付けられる訪問先タイトルを変更するための画面が表示される。利用者が観光案内一覧からタイトルを選択するか、タイトル名を入力することにより、タイトルが変更される。
【０１５５】
画面Ｊ２３は、画面Ｊ２１で「保存」が選択されたときの画面である。撮影された画像と訪問地名、入力された情報等が保存されたことを表示する。なお、携帯通信端末４で訪問先タイトルを付加しない場合には、画像データと撮影時刻だけを関連付けて格納しておき、旅行情報提供サーバにおける日記作成の段階で、撮影時刻をキーにして日程情報から撮影時刻における訪問先を取得し、この訪問先名を画像データに付加する。
【０１５６】
画面Ｊ２４は、画面Ｊ０２で「カメラ画像を見る」が選択されたときの画面である。撮影された画像のタイトル一覧が表示される。利用者が、この中から１つ選択することで、その画像、サブタイトル、コメントを確認・編集するための画面Ｊ２１が表示される。
【０１５７】
図２１において、画面Ｊ３１は、画面Ｊ０３で「訪問地追加・変更」が選択されたときの画面である。利用者は、観光案内一覧から訪問地を選択するか訪問地を入力することで、対象訪問地を特定する。
【０１５８】
画面Ｊ３２は、画面Ｊ０３で「見どころ」が選択されたときの画面である。現在訪問している場所の案内文が表示される。案内文は、日程情報と現在日時とを照会して現在の訪問地を特定し、その訪問地に関連する訪問先情報から読み出される。
【０１５９】
画面Ｊ３２Ａは、画面Ｊ３２で「写真」が選択されたときの画面である。現在訪問中の場所の画像が表示される。画像は、案内文は、日程情報と現在日時とを照会して訪問地を特定し、その訪問地に関連する訪問先情報から読み出される。
【０１６０】
画面Ｊ３３は、画面Ｊ０３で「最寄り駅」が選択されたときの画面である。現在訪問中の観光地における最寄り駅と現在位置から最寄り駅までの移動時間が表示される。
【０１６１】
画面Ｊ３３Ａは、画面Ｊ３３で「駅周辺検索」が選択されたときの画面である。現在訪問中の観光地における最寄り駅の周辺情報一覧が表示される。
【０１６２】
画面Ｊ３４は、画面Ｊ０３で「ホテル案内」が選択されたときの画面である。宿泊先のホテルの名称、住所等が表示される。これらの情報は、日程情報と現在日時とを照会して現在の訪問先を特定し、その訪問地に関連する宿泊先情報が訪問先情報から読み出されたものが使用される。利用者は、この画面からホテルの部屋番号や地図を表示させることができる。
【０１６３】
画面Ｊ３４Ａは、画面Ｊ３４で「迷ったとき」が選択されたときの画面である。ホテルの位置を訪ねる文が現地語と日本語の双方で表示される。利用者は、この画面を現地の人に見せることにより、ホテルの位置を訪ねたり、協力を求めることができる。
【０１６４】
画面Ｊ３４Ｂは、画面Ｊ３４で「地図」が選択されたときの画面である。文字が日本語で表記された地図が表示される。利用者はこの画面でホテルへの帰り道を確認でき、また日本語での表記により発音がわかるので、場所を現地の人に聞くときに便利である。
【０１６５】
画面Ｊ３４Ｃは、画面Ｊ３４Ｂで「現地語表記」が選択されたときの画面である。地図上の文字が現地語で表示されるとともに、その現地語の読み方がカタカナで表示される。
【０１６６】
画面Ｊ３４Ｄは、画面Ｊ３４で「宿泊情報」が選択されたときの画面である。ホテルの部屋番号や注意事項をメモしておく画面である。外出から帰ってくる際、自分の部屋番号が分かるので便利である。添乗員や友人の部屋番号をメモしておくこともできる。
【０１６７】
画面Ｊ３５は、画面Ｊ０３で「観光予定」が選択されたときの画面である。観光地の訪問予定時間や観光場所を追加・変更・削除したい場合に、この画面で日程情報について追加・変更・削除の操作を行う。ここでの操作は、日程情報を日記情報に利用する場合に必要なものであり、そうでない場合には操作する必要はない。
【０１６８】
画面Ｊ３５Ａは、画面Ｊ３５で「追加」が選択されたときの画面であり、訪問場所および観光予定時間を追加可能な画面が表示される。
【０１６９】
画面Ｊ３５Ｂは、画面Ｊ３５で「変更」が選択されたときの画面であり、訪問場所および観光予定時間を変更可能な画面が表示される。
【０１７０】
画面Ｊ３５Ｃは、画面Ｊ３５で「削除」が選択されたときの画面であり、訪問場所および観光予定時間を削除可能な画面が表示される。
【０１７１】
図２２において、画面Ｊ４１は、画面Ｊ０４で「連絡先」が選択されたときの画面である。現在の訪問地における連絡先番号が表示される。連絡先番号としては、例えば警察、消防、救急といった緊急連絡先番号ものが表示される。一般連絡先としては、利用者が自分で入力したものが表示される。連絡先番号は、日程情報と現在日時とを照会して現在の訪問地を特定し、この訪問地に関連する連絡先番号が訪問先情報から取得されたものが使用される。利用者が、いずれかの連絡先番号を選択すると、その番号へ電話連絡される。
【０１７２】
画面Ｊ４１Ａは、画面Ｊ４１で「追加」が選択されたときの画面である。一般連絡先の番号を追加するための画面が表示される。利用者は、名称と連絡先電話番号を入力する。
【０１７３】
画面Ｊ４２は、画面Ｊ０４で「交通機関検索」が選択されたときの画面である。交通機関情報として訪問地での交通機関の路線が表示される。
【０１７４】
画面Ｊ４２Ａは、画面Ｊ４２で「地下鉄Ｕパターン１」が選択されたときの画面である。選択された路線の情報駅名が表示される。利用者は、駅名を１つ以上選択することで周辺情報を検索することができる。
【０１７５】
画面Ｊ４２Ｂは、画面Ｊ４２Ａで「駅周辺検索」が選択されたときの画面である。選択された駅について、観光地案内、ホテル案内、レストラン案内、買物・レジャー案内といった周辺情報を検索するためのメニュー一覧が表示される。
【０１７６】
画面Ｊ４３は、画面Ｊ０４で「観光案内」が選択されたときの画面である。現在訪れている観光地についてのメニュー一覧が表示される。利用者が観光地を１つ選択することで、その観光地についての詳細情報が表示される。
【０１７７】
画面Ｊ４３Ａは、画面Ｊ４３で「シェーンブルン宮殿」が選択されたときの画面である。シェーンブルン宮殿についての詳細情報が表示される。
【０１７８】
画面Ｊ４４は、画面Ｊ０４で「ホテル・レストラン案内」が選択されたときの画面である。訪問地におけるホテル・レストランのメニュー一覧が表示される。
【０１７９】
画面Ｊ４４Ａは、画面Ｊ４４で「ＡＢＣホテル」が選択されたときの画面である。ＡＢＣホテルについての詳細情報が表示される。
【０１８０】
画面Ｊ４５は、画面Ｊ０４で「買物・レジャー案内」が選択されたときの画面である。訪問地における店名のメニュー一覧が表示される。利用者が店名を１つ選択すると、その店についての詳細情報が表示される。
【０１８１】
画面Ｊ４５Ａは、画面Ｊ４５で「ＨＩマート」が選択されたときの画面である。ＨＩマートについての詳細情報が表示される。一人で買い物をする場合にも困らないように、必要な情報が表示される。
【０１８２】
画面Ｊ４６は、画面Ｊ０４で「ワード検索」が選択されたときの画面である。キーワードを入力するための画面が表示される。ここで入力されたキーワードを用いて観光案内情報、ホテル・レストラン案内情報、買物、レジャー案内情報を検索対象にして検索がされる。
【０１８３】
画面Ｊ４６Ａは、ケーワード検索を行った結果を示す画面である。キーワードが含まれていた情報の一覧が表示される。
【０１８４】
図２３において、画面Ｊ４７は、画面Ｊ０４で「国情報」が選択されたときの画面である。翻訳情報、通過、その他その国独自の情報を閲覧するためのメニュー一覧が表示される。
【０１８５】
画面Ｊ４７Ａは、画面Ｊ４７で「現地語翻訳」が選択されたときの画面である。翻訳対象の日本語文の一覧が表示される。
【０１８６】
画面Ｊ４７Ｂは、画面４７Ａで翻訳対象の日本語文が選択されたときの画面である。選択された日本語文について現地語が表示されるとともに、現地語の読み方と意味も表示される。利用者は、この画面を現地の人に見せることで、意思を通じさせることができる。
【０１８７】
図２４は、利用者が旅行から帰ってきた後、旅行情報を携帯通信端末４から旅行情報提供サーバ１にアップロードするときの携帯通信端末４における遷移画面を示す図である。
【０１８８】
画面Ｊ０１で、利用者が「旅行ナビ初期画面に戻る」を選択すると、画面Ｊ０に移行する。
【０１８９】
画面Ｊ０は、旅行ナビ初期画面である。携帯通信端末４のデータベース部４１に格納されている情報を利用者が確認後、「アップロード」を選択することで、旅行情報提供サーバ１へのアップロードの処理が開始される。
【０１９０】
画面Ｊ０５は、旅行情報提供サーバ１へのアップロードを確認するための画面である。この画面では、旅行情報提供サーバ１で日記情報を作成した後に、日記情報あるいは日記情報が格納されているサーバのＵＲＬアドレスを利用者に送るためのパソコン５のメールアドレスの入力を促す。
【０１９１】
画面６０は、日記情報が格納されたデータベースサーバ３のＵＲＬアドレスがパソコン５に送られてきたときのパソコン５の画面である。
【０１９２】
図２５は、日記用に編集された日記情報を利用者のパソコン５にダウンロードするときのパソコン５における遷移画面を示す図である。
【０１９３】
画面６１は、ＵＲＬアドレスのサーバにアクセスした後、日記情報をダウンロードする際の顧客ＩＤ、パスワードの認証を行うための画面である。
【０１９４】
画面６２は、日記情報のパソコン５へのダウンロードが完了したことを示す画面である。
【０１９５】
図２６は、パソコン５で表示される日記情報を示す画面である。同図の画面６３では、訪問先名、訪問日時、天気、画像、タイトル名、コメント、送受信されたメールの内容といった、日程情報に関連付けられていた情報が編集された状態で表示される。画像は、日記情報としてデータベースサーバ３を経由して取り出す方法もあるが、メモリーカードによりパソコン５に直接取り込んでおき、パソコン５において画像データのない日記情報をダウンロードし、この日記情報に訪問先および日時に関連した画像を組み込むようにしてもよい。
【０１９６】
したがって、本実施の形態によれば、旅行情報提供サーバ１により、入力された日程情報に関連する訪問先情報をデータベース３１から読み出し、日程情報と訪問先情報とを旅行情報として予め携帯通信端末４のデータベース部４１に格納しておくことで、利用者は、電波の届かない場所へ移動した場合でも、旅行ガイドや行動支援ツールとして携帯通信端末４を利用することができる。これにより、ガイドブックを持ち運ぶことに比べて軽量であり、また短時間で検索閲覧できることから、利用者にとっての便宜を図ることができる。また、利用者は、日常的に利用している携帯通信端末４を利用できるので操作方法を習得しているという利点がある。携帯通信端末４は、旅行情報を格納した後は、サーバとアクセスすることなくＪａｖａプログラムにより動作するので、海外はもとより国内においても電波の届かない場所で利用することができ、しかもサーバにリアルタイムで接続しながら観光案内情報を閲覧する場合と比較してパケット料金の支払いを少なくすることができる。
【０１９７】
本実施の形態によれば、携帯通信端末４において、データベース部４１から日程情報を読み出すとともに現在日時取得部４６により現在日時を取得し、日程情報と現在日時とを照会することにより現在の訪問先を特定し、この訪問先に関連する訪問先情報を旅行情報から取得して表示することで、利用者は、訪問先においてその地で必要な訪問先情報を容易に知ることができる。
【０１９８】
本実施の形態によれば、携帯通信端末４において、データベース部４１から日程情報を読み出し、日程情報と現在日時とを照会することにより現在の訪問先を特定し、この訪問先に関連する連絡先番号を訪問先情報から取得して表示することで、訪問地においてその地に応じた連絡先番号が表示されるので、利用者は訪問地における連絡先番号を容易に知ることができる。また、旅行ガイドブックには訪問先での緊急の連絡先番号が記載されていることは少なく、仮に記載されていたとしても何らかのトラブルが発生してから慌てて旅行ガイドブックを調べるよりも、携帯通信端末４に自動的に訪問地での連絡先番号が表示される方が、利便性が高いということができる。
【０１９９】
本実施の形態によれば、携帯通信端末４において、データベース部４１から日程情報を読み出し、日程情報と現在日時とを照会することにより現在の訪問先を特定し、この訪問先に関連する宿泊先情報を訪問先情報から取得して表示することで、利用者は訪問地においてその地に応じた宿泊先情報を容易に知ることができる。とくに、宿泊先情報として宿泊先の部屋番号を含めておくことで、携帯通信端末４のＪａｖａ画面には訪問先での部屋番号が表示されるので、利用者はいつでも部屋番号を確認することができる。
【０２００】
本実施の形態によれば、携帯通信端末４において、データベース部４１から訪問先での駅情報を訪問先情報から取得し、駅情報の指定によりその駅周辺についての訪問先リストを表示することで、利用者は訪問地において駅周辺情報を容易に知ることができる。
【０２０１】
本実施の形態によれば、携帯通信端末４において、データベース部４１からから日程情報を読み出すとともに、デジタルカメラにより画像データが撮影されたときの撮影時刻を取得し、日程情報と撮影時刻とを照会することにより撮影時の訪問先を特定し、当該訪問先に関連する訪問先タイトルを訪問先情報から取得し、この訪問先タイトルと、画像データ、撮影時刻情報とを関連付けておくことで、画像データがいつどこで撮影されたのかを容易に分かるようにすることができる。また、コメントの入力情報もこれらの情報と関連付けておくことで、撮影の記録として付加することができる。
【０２０２】
本実施の形態によれば、携帯通信端末４において、データベース部４１に登録された日程情報の訪問先および日時について追加、変更、削除といった編集を可能としたことで、編集後の日程情報に基づいて実際の訪問先についての訪問先情報を表示することができ、また、実際の旅行日程に基づいた旅行記録データを作成することができる。
【０２０３】
本実施の形態によれば、携帯通信端末４により、データベース部４１に格納されている日程情報を含む旅行情報および日時で関連付けられている情報を読み出して旅行情報提供サーバ１へ送信し、旅行情報提供サーバ１により、受信した日程情報に基づいて日時別、訪問地別に関連する情報を特定し、日時別、訪問地別に情報を編集して日記情報を作成することで、利用者がこの日記情報を入手した場合には、旅行の記念あるいは旅行記録として利用することができる。
【０２０４】
なお、海外旅行の場合には、携帯通信端末が使用できないことがあり、海外で利用できない携帯通信端末に旅行情報をダウンロードしても、旅行に携帯通信端末を持っていかないとの懸念があるが、実際のところ日常的に使用している携帯通信端末は、連絡先番号が記録されており、時計や計算機としても使用可能であり、国内における国際空港までの通信に利用できることから、海外旅行においても必然的に携帯することになる。また、厚いガイドブックを持ち運ぶよりは、通信携帯端末の方が軽量であるので、この点でも利便性が高いということができる。
【０２０５】
本実施の形態の旅行ガイドシステムは、観光を目的とした旅行のほか、美術館や博物館での利用、スポーツ観戦での利用、コンサートでの利用が考えられる。例えば、美術館で利用する場合には、美術館内が携帯通信端末の電波受信範囲外の場合であっても、その美術館で展示されている画家名、絵画の名称といった情報を画面で閲覧することができる。また、スポーツ観戦においては、選手の成績、プロフィール等を画面で閲覧することができる。コンサートにおいては、演奏曲の説明を画面で閲覧することができる。
【図面の簡単な説明】
【０２０６】
【図１】一実施の形態における旅行ガイドシステムの構成を示す機能ブロック図である。
【図２】利用者が旅行情報を旅行情報提供サーバに登録するときの処理の流れを示すシーケンス図である。
【図３】携帯通信端末が旅行情報およびＪａｖａプログラムをダウンロードするときの処理の流れを示すシーケンス図である。
【図４】携帯通信端末で旅行情報を表示するときの処理の流れを示すシーケンス図である。
【図５】携帯通信端末の現在日時取得部で現在時刻を取得するときの処理を示すシーケンス図である。
【図６】携帯通信端末で訪問地での連絡先番号を表示させるときの詳細な処理の流れを示すシーケンス図である。
【図７】携帯通信端末で宿泊先情報を表示するときの処理の流れを示すシーケンス図である。
【図８】携帯通信端末で駅情報を表示するときの処理の流れを示すシーケンス図である。
【図９】携帯通信端末で日程情報を追加、変更、削除するときの処理の流れを示すシーケンス図である。
【図１０】携帯通信端末でのカメラ操作における処理の流れを示すシーケンス図である。
【図１１】携帯通信端末で都市情報を表示するときの処理の流れを示すシーケンス図である。
【図１２】携帯通信端末でキーワード検索を行うときの処理の流れを示すシーケンス図である。
【図１３】携帯通信端末で翻訳文を表示するときの処理の流れを示すシーケンス図である。
【図１４】携帯通信端末でのアラーム機能による処理の流れを示すシーケンス図である。
【図１５】携帯通信端末がデータベース部に格納されている情報を旅行情報提供サーバへアップロードするときの処理の流れを示すシーケンス図である。
【図１６】個人がＷｅｂサーバにアクセスし、企画型の旅行情報を作成して携帯通信端末にダウンロードするまでの画面の遷移を示す図である。
【図１７】図１６に続く画面の遷移を示す図である。
【図１８】個人がＷｅｂサーバにアクセスし、パッケージツアー型の旅行情報を作成して携帯通信端末にダウンロードするまでの画面の遷移を示す図である。
【図１９】携帯通信端末が旅行情報およびＪａｖａプログラムをダウンロードしてＪａｖａプログラムによって動作するときの携帯通信端末における画面の遷移を示す図である。
【図２０】図１９に続く画面の遷移を示す図である。
【図２１】図２０の画面Ｊ０４に続く画面の遷移を示す図である。
【図２２】図２０の画面Ｊ０４に続く別の画面の遷移を示す図である。
【図２３】図２０の画面Ｊ０４に続く画面の遷移を示す図である。
【図２４】旅行情報を携帯通信端末から旅行情報提供サーバにアップロードするときの画面遷移を示すずである。
【図２５】旅行情報提供サーバで日記用に編集された日記情報を利用者のパソコンにダウンロードするときの画面遷移を示す図である。
【図２６】日記情報の表示形式を示す図である。
【符号の説明】
【０２０７】
１…旅行情報提供サーバ，２…Ｗｅｂサーバ
３…データベースサーバ，４…携帯通信端末
５…パソコン，６…通信網
１０…アラームスケジュール部
２１…旅行情報登録部，２２…送受信部
２３…日記情報作成部
３１…データベースサーバ
３２…選択部，３３…取得部，３４…保存部
４１…データベース部
４２…選択部，４３…取得部，４４…保存部
４５…データ入力部，４６…現在日時取得部
４７…表示部，４８…制御部，４９…情報部
５０…現地情報部，５１…言語情報部
５２…送受信部，５３…データ作成部
５４…旅行情報操作部
５５…変更部，５６…追加部，５７…削除部
５８…カメラ操作部，５９…撮影・保存部
６０…アラームスケジュール部
６１…パケット通信部
【図１】
2005275924.tif 000003
【図２】
2005275924.tif 000004
【図３】
2005275924.tif 000005
【図４】
2005275924.tif 000006
【図５】
2005275924.tif 000007
【図６】
2005275924.tif 000008
【図７】
2005275924.tif 000009
【図８】
2005275924.tif 000010
【図９】
2005275924.tif 000011
【図１０】
2005275924.tif 000012
【図１１】
2005275924.tif 000013
【図１２】
2005275924.tif 000014
【図１３】
2005275924.tif 000015
【図１４】
2005275924.tif 000016
【図１５】
2005275924.tif 000017
【図１６】
2005275924.tif 000018
【図１７】
2005275924.tif 000019
【図１８】
2005275924.tif 000020
【図１９】
2005275924.tif 000021
【図２０】
2005275924.tif 000022
【図２１】
2005275924.tif 000023
【図２２】
2005275924.tif 000024
【図２３】
2005275924.tif 000025
【図２４】
2005275924.tif 000026
【図２５】
2005275924.tif 000027
【図２６】
2005275924.tif 000028